(57)【要約】  本発明は、最も単純で最も迅速な可能な方法で郵便料金証明印を生成する方法で一般的タイプの方法を改良するという目的に基づくものある。好ましくは、不正に生成された郵便料金証明印に対する最も広範囲な保護を達成しようとするものでる。本発明によれば、この目的は中央システムから顧客システムへの郵便料金証明印の送信が２つの段階で行われる請求項１の一般的部分との関連において達成され、最初の段階において、郵便料金証明印の無効のプレ印刷が送信され、次に、有効な郵便料金証明印が中央システムにそれをフィードバックすることにより中央のフランキングシステムに送信され、該フィードバックは印刷過程によってコントロールされる。
2007519109.tif 000002
【特許請求の範囲】
【請求項１】
郵便料金証明印が、印刷されるために、中央システム（ＺＳ）において生成され、顧客システム（ＫＳ）へ送信される郵便物のフランキング方法であって、
中央システム（ＺＳ）から顧客システム（ＫＳ）への郵便料金証明印の送信が、２つの段階で起こり、
第１の段階で、無効なプレ印刷の郵便料金証明印が送信され、その後、有効な郵便料金証明印を中央システムにフィードバックすることによって中央のフランキングシステムに送信され、該フィードバックは印刷過程によって制御されていることを特徴とする、郵便物のフランキング方法。
【請求項２】
フランキング手続きのために必要とされる方法ステップのうちの少なくともいくつかが中央制御されることを特徴とする、請求項１による郵便物のフランキング方法。
【請求項３】
顧客システム（ＫＳ）が中央システムの機能および／またはデータにアクセスすることを特徴とする、請求項１又は２の何れかによる郵便物のフランキング方法。
【請求項４】
顧客システム（ＫＳ）の操作に関して、中央システム（ＺＳ）上で作動している少なくとも１つのプログラムが使用されることを特徴とする、請求項３による郵便物のフランキング方法。
【請求項５】
顧客システム（ＫＳ）を操作するために標準ウェブ・ブラウザが使用されることを特徴とする、請求項４による郵便物のフランキング方法。
【請求項６】
フランキングリクエストが顧客システム（ＫＳ）から中央システム（ＺＳ）に標準化された送信プロトコルによって送信されることを特徴とする、請求項５による郵便物のフランキング方法。
【請求項７】
中央システム（ＺＳ）が最初に有効な郵便料金証明印を生成し、該中央システム（ＺＳ）が有効な郵便料金証明印を無効なプレ印刷に変換することを特徴とする、前記請求項１乃至６のいずれか一項に記載の郵便物のフランキング方法。
【請求項８】
中央システム（ＺＳ）が有効な郵便料金証明印を生成し、該中央システム（ＺＳ）が有効な郵便料金証明印を無効なプレ印刷と交換することを特徴とする、請求項１〜６の内１つ以上による方法。
【請求項９】
中央システム（ＺＳ）がテンポラリレジスタ（ＴＲ）に一時的に有効な郵便料金証明印を格納し、それへのアクセスをコントロールすることを特徴とする、請求項７または８による方法。
【請求項１０】
顧客システム（ＫＳ）が無効なプレ印刷へのアクセスを与えられることを特徴とする請求項７から９の内１つ以上による方法。
【請求項１１】
顧客システム（ＫＳ）が有効な郵便料金証明印を含んでいるテンポラリレジスタ（ＴＲ）へのアクセスを許可する情報を供給されることを特徴とする、請求項１０による方法。
【請求項１２】
顧客システム（ＫＳ）が要求された郵便料金証明印の結果として無効なプレ印刷のものを表示することを特徴とする、請求項７から１１の内１つ以上による方法。
【請求項１３】
顧客システム（ＫＳ）で印刷処理が行なわれるとき、中央システム（ＺＳ）へのフィードバックは、有効な郵便料金証明印を含んでいるテンポラリレジスタ（ＴＲ）にアクセスされるのと同じ方法で確立されることを特徴とする、請求項９から１２のうち１つ以上による方法。
【請求項１４】
送信された有効な郵便料金証明印が顧客システム（ＫＳ）で表示されず、すぐに印刷されることを特徴とする、前記請求項の１つ以上による方法。
【請求項１５】
取消不可能なデータリンクの結果を含むのと同じ方法で有効な郵便料金証明印が生成されることを特徴とする、前記請求項の１つ以上による方法。
【請求項１６】
郵便料金証明印が、中央システム（ＺＳ）のデータと共に顧客システム（ＫＳ）によって提供されるデータの取消不可能なデータリンクを含むことを特徴とする、請求項１５による方法。
【請求項１７】
有効な郵便料金証明印がフランキングする日付に関する情報を含んでいることを特徴とする、前記請求項の１つ以上による方法。
【請求項１８】
有効な料金証明印が郵便物の意図した受取人に関する情報を含んでいることを特徴とする、前記請求項の１つ以上による方法。
【請求項１９】
請求項１から１９の内１つ以上によって郵便物が発生し［原文のまま］、中央システム（ＺＳ）が、少なくとも１つの認証センターに生成された有効な郵便料金証明印に関する情報を送信することを特徴とする、郵便物の確実性を確認する方法。
【請求項２０】
上流のシステム（ＶＳ）が有効な郵便料金証明印を格納できるテンポラリレジスタ（ＴＲ）を含むことを特徴とする、該上流のシステム（ＶＳ）と同様に中央システム（ＺＳ）および顧客システム（ＫＳ）を構成する郵便物のフランキングのための装置。
【請求項２１】
前記上流のシステム（ＶＳ）がテンポラリレジスタ（ＴＲ）に格納された情報を直接前記顧客システム（ＫＳ）に接続されたプリンタに送信することができるのと同じ方法で形成されるインターフェースを有することを特徴とする、請求項２０による装置。
【発明の詳細な説明】
【技術分野】
【０００１】
本発明は、郵便物、特に手紙および小包、中央システムで生産され、印刷用に顧客システムに送信される、郵便料金証をフランキングする方法に関する。
本発明はまた、その方法を実施するのにふさわしい装置に関する。
【背景技術】
【０００２】
フランキングシステムは、コストを削減するために中央システムおよび顧客システムに分けられたものが知られている。従来のフランキングシステムは、例えば、送信郵便料金メーターは、上記の様に分割されておらず、郵便料金証明印の印刷手段とともに、安全確実に郵便料金証明印を作成するための構成を有している。中央システムと顧客システムとに分割することにより、多くの顧客が安全確実に郵便料金証明印を作成する上で、技術的により複雑なシステムと方法でも利用することができ、顧客先で郵便料金証明印の印字のみを行うことも可能となる。データ・ネットワークは、中央システムと顧客のシステムとの間で使用されるものである。
郵便料金証明印の作成はセキュリティ上不可欠なプロセスである。郵便料金証明印が貨幣価値を持つので、その作成において、有効な郵便料金証明印が確実な支払保証がある場合にのみ発行されるということは、郵便サービス提供者の関心事である。
【０００３】
例えば、暗号（例えば暗号化またはデジタル署名）の使用は、郵便料金証明印の偽造不能を保証する。結局、郵便料金証明印が発行されて、後に手紙か小包でチェックされる場合、両者の間で一致するか、両者が本物であることが確実な暗号キーが使用されれば、暗号キーを持っていない無許可の第三者は、手紙あるいは小包の郵便料金証明印が有効とされるような郵便料金証明印偽造の可能性がない。
【０００４】
中央システムが使用される場合、郵便料金証明印は暗号的に特に効果的に高レベルで安全なものになる。不正操作を防ぐために、暗号化されたフランキングプロセスが通常特別のハードウェアおよびソフトウェア（いわゆる「暗号モジュール」）の形をして実行されるので、それらは、暗号モジュールが、個人のフランキング顧客先で使用される場合より非常に楽に中央で操作することができる。
【０００５】
有効な郵便料金証明印の複製品あるいはいわゆる「ダブルズ」を回避する計量器は、有効な郵便料金証明印が、手紙や小包を送るのに複数回使用されるのを防ぐ。
重複を避けるための種々の手段と同じだけのフランキング方法がある。同一の重複物品をよく防ぐ特別のインクや紙は、デジタルフランキング手続きの場合には印刷手続きによって印字されるアナログ郵便料金証明印用に使用されるが、複数の印刷（例えば新しい郵便料金メーターの場合の）を防ぐ操作不可能なコンピューター・プロセスが使用される。
【０００６】
中央のフランキングシステムが使用される場合、複数の印刷を正常に防ぐのは顧客システムのプリンタである。中央システムが暗号的に安全になった郵便料金証明印を印刷し、顧客システムにそれを送信するとすぐに、顧客システムでの操作不可能なコンピューター・プロセスは、郵便料金証明印を一度だけ印刷することができ、複数回の印刷になりえないことを保証する。
【０００７】
郵便料金証明印の作成用の中央システムの例は、ＳＴＡＭＰＩＴと呼ばれるドイツの郵便のシステム（ドイツポスト）のＰＣフランキングシステムである。ＳＴＡＭＰＩＴは「ＳＴＡＭＰＩＴクライアント」と呼ばれるソフトウェアから成る。これは、各ＳＴＡＭＰＩＴ顧客のＰＣ、および「ＳＴＡＭＰＩＴサーバー」（ドイツポストのコンピュータセンターの中で操作される）と呼ばれる中央システムのＰＣにインストールされる。顧客が郵便料金証明印を印刷したい場合、その要求がＳＴＡＭＰＩＴクライアントからＳＴＡＭＰＩＴサーバーのもとへネットワーク接続によって送られる。後のものは、暗号使用による高いセキュリティエリアにおいて電子バイト・シーケンスとして郵便料金証明印を生成する。このバイト・シーケンスがＳＴＡＭＰＩＴサーバーからＳＴＡＭＰＩＴクライアントに返信された後、暗号により安全になったバイト・シーケンスは機械可読のバーコードに変換され、また、このバーコードは有効な郵便料金証明印を作成するために他の付加的な情報と一緒に印刷される。ＳＴＡＭＰＩＴクライアントの特別なソフトウェア内の操作不可能なプロセスは、有効な郵便料金証明印が一度だけ印刷できるように決められている。１度の複数印刷および同じ郵便料金証明印の複数印刷はＳＴＡＭＰＩＴクライアントによって防がれる。
【０００８】
郵便料金証明印偽造証明を生産するための方法で、このような方法を実行する装置と同様にいくつもの方法が、本出願人による多くの特許出願および特許により開示された。
【０００９】
例えば、本出願人による特許文献１は、偽造証明書類の生成に関する方法、又は、セキュリティ・モジュールを使用するデータ記録に関するものである。これによって、文書作成者によって導入されたデータ（導入データ）の取消不可能なリンクの結果が認証ユニットからの暗号化された情報と一緒に導入されることにおいて、データ・セキュリティが増強される。
【００１０】
本出願人の特許文献２は、２つのコンビネーション機械を含むような方法で構成されている偽造証明文書作成のためのセキュリティ・モジュールを開示している。これによって、コンビネーション機械のうち１つは識別登録の出力価値を秘密情報生成機の出力値と組み合せ、それによって別のコンビネーション機械が、入力された入力データを備えた秘密の組み合せを実行する。
【００１１】
インターネットがそのユーザに情報内容およびサービスへの単純なアクセスを提供することも知られている。この目的のために、「ブラウザ」と言われる標準プログラムはユーザのＰＣ上で使用される。このプログラムは、インターネット・ユーザが中央のサービスいわゆる「ウェブサーバ」にインターネットによってアクセス可能にし、またそれらの情報内容あるいはサービスを利用することを可能にする。この方法の有利な面は、特にインターフェース（例えばＨＴＭＬ  Ｈｙｐｅｒ  Ｔｅｘｔ  Ｍａｒｋｕｐ  Ｌａｎｇｕａｇｅ）、およびプロトコル（例えばｈｔｔｐ  Ｈｙｐｅｒ  Ｔｅｘｔ  Ｔｒａｎｓｆｅｒ  Ｐｒｏｔｏｃｏｌ）の範囲の標準化により、データがあらゆるウェブサーバとブラウザとの間で、原則として任意に、また先に発表したり打ち合わせたりすることなく交換することができる。
【特許文献１】独国特許１００２０５６３Ｃ２号明細書
【特許文献２】独国特許１００２０５６１Ｃ２号明細書
【発明の開示】
【発明が解決しようとする課題】
【００１２】
本発明は、最も単純で最も迅速な可能な方法で郵便料金証明印を生成する方法で一般的タイプの方法を改良するという目的に基づくものある。好ましくは、不正に生成された郵便料金証明印に対する最も広範囲な保護を達成しようとするものでる。
【課題を解決するための手段】
【００１３】
本発明によれば、この目的は中央システムから顧客システムへの郵便料金証明印の送信が２つの段階で行われる請求項１の一般的部分との関連において達成され、最初の段階において、郵便料金証明印の無効のプレ印刷が送信され、次に、有効な郵便料金証明印が中央システムにそれをフィードバックすることにより中央のフランキングシステムに送信され、該フィードバックは印刷過程によってコントロールされる。
【発明の効果】
【００１４】
ここでの利点は、少なくとも、フランキング手続きのために必要な方法ステップのうちのいくつかは主としてコントロールされ得るということである。本発明の特に好ましい実施例においては、使用されたフランキング手続きの一部の中央制御は、フランキングパラメーターの柔軟な変化を容認する。例えば、フランキング方法を使用するか又はフランキング手続の請求明細を作成する資格のある者の選定に関する、直前通知での新しいセキュリティ目的の実施、あるいは変更されたフランキングパラメーターを実現する。
【００１５】
顧客システムが機能および／または中央システムのデータにアクセスする方法で本発明を改良することが特に有利な点です。
【００１６】
特にシンプルで実際的なやり方でこれを実行するために、顧客システムの操作に関して、中央システム上で作動している少なくとも１つのプログラムが使用されることが利点である。
【００１７】
好都合にも、前記の方法は、標準ウェブ・ブラウザが顧客システムの中で使用されるやり方で実行されます。
【００１８】
フランキングリクエストが顧客システムから中央システムに標準化された送信プロトコルによって送信されるという利点がある。
【００１９】
フランキングリクエストに応じて、有効な郵便料金証明印を発行することは中央システムにとって利点であり、また、有効な郵便料金証明印を無効なプレ印刷に変換することは中央フランキングシステムにとっての利点である。
【００２０】
さらに、中央システムが有効な郵便料金証明印を無効なプレ印刷に取り替えるという利点がある。
【００２１】
中央システムがテンポラリレジスタに一時的に有効な郵便料金証明印を格納し、次に、それへのアクセスをコントロールするという利点がある。
【００２２】
有利なことには、この方法は、顧客システムが無効なプレ印刷へのアクセスを与えられるのと同じ方法で実行される。
【００２３】
有効な郵便料金証明印を保持するテンポラリレジスタへのアクセスを許可する情報が顧客システムに供給され、利点がある。
ここにおいて、顧客システムが、要求された郵便料金証明印の結果として、無効なプレ印刷を表示するという利点がある。
【００２４】
さらに、印刷プロセスが顧客システムで行なわれる場合、有効な郵便料金証明印を含んでいるテンポラリレジスタにアクセスされるのと同じ方法で中央システムへのフィードバックが確立されるという利点がある。
【００２５】
更に、送信された有効な郵便料金証明印が顧客システムで表示されず、すぐに印刷されるという利点がある。
【００２６】
データ・セキュリティをさらに増強するために、有効な郵便料金証明印が、不可逆なデータリンクの計算結果を含むような方法で生成される利点がある。
【００２７】
さらに、結果として生じる高いデータ・セキュリティはまた、郵便料金証明印が中央システム（ＺＳ）のデータと共に顧客システムによって提供される不可逆なデータリンクを含むように改善することもできる。
【００２８】
データ・セキュリティの補強も、有効な郵便料金証明印がフランキングする日付に関する情報を含んでいる際に達成することができます。
【００２９】
さらに、操作に対する安全性を高めるために、有効な郵便料金証明印がその郵便物の意図した受取人に関する情報を含んでいる利点がある。
【発明を実施するための最良の形態】
【００３０】
本発明は、郵便物の確実性を確認する方法に関するものでもあります。
【００３１】
本発明によれば、この方法は、郵便物が、請求項１〜１８の内の１つ以上の方法によって生成され、中央システムが、少なくとも１つの認証センターに生成された有効な郵便料金証明印に関する情報を送信するような方法で実施される。
本発明はまた、上流のシステムと同様に中央システムと顧客システムを含む郵便物をフランキングするための装置に関するものでもある。
【００３２】
本発明によれば、この装置は、上流のシステムが有効な郵便料金証明印を格納することのできるテンポラリレジスタを有するような方法で形成される。
【００３３】
この装置の特に好適な実施例は、上流のシステムが、テンポラリレジスタに格納された情報を、顧客システムに接続されたプリンタに直接送信するような方法で形成されるインターフェースを持っていることを特徴とする。
【００３４】
本発明のさらなる利点、特徴および実際の実施例は、従属するクレームと、図示する好適な実施例から示される。
【００３５】
以下に示された実施例は、単なる例として示されるものである。
【００３６】
本発明を示す実施例では、中央システムは上流のウェブサーバに接続される。
【００３７】
ここで、上流のウェブサーバが以下に記述した機能を満たすことが有効である。
【００３８】
（サーバー側の）標準ウェブ技術エリアの外側にある本発明に関する機能性の実行は、拡張機能を介して行われる。対照的に、ウェブ・ブラウザの側ではなにも変化しない。
【００３９】
図１は、顧客ブラウザの優位な点から見た、郵便料金証明印を要求し、送信する２つの工程の特に好ましい実施例を示す。
【００４０】
本発明によるフランキングシステムを使用すると、フランキングする方法の様々な有利な実施例を実現できる。
【００４１】
下記のプレゼンテーションは、本発明による方法を実施する特に有効な例題を通して説明する。これは図１を用いて説明される。
【００４２】
顧客は、郵便料金証明印を要求するためにアクセスプログラムを使用する。
ここでの利点として、フランキングリクエストは、顧客システムから中央システムに送信される（Ａ１）。
【００４３】
これは、標準化された送信プロトコルにより顧客システムから中央システムにフランキングリクエストが送信されるという、特にシンプルで信頼できる方法で行われる。使用される送信プロトコルは例えばＨＴＭＬまたはＸＴＭＬである。
これは、顧客システムが標準的なウェブ・ブラウザを使用できるという補足的な長所である。
【００４４】
中央システムは有効な郵便料金証明印を生成する。この郵便料金証明印は、その生成中およびその直後に前記顧客システムにアクセスできないような方法で有利に処理される。これは、当分の間、該顧客システムを使用して、有効な郵便料金証明印を生成することができないという長所を持つ。
【００４５】
特に好ましい実施例では、フランキングリクエストが中央システムの中で受け取られた直後に、郵便料金証明印が生成されます。
【００４６】
しかし、同様に、他のもの（有利な実施例など）において、より大きな範囲に対するフランキングリクエストから、有効な郵便料金証明印の生成を分離することが可能です。
【００４７】
後の処理ステップと同様に郵便料金証明印のリクエストも、例示の方法で以下に示します。
【００４８】
フランキングリクエストがチェックされ、認証の後に、有効な郵便料金証明印を生成する目的で中央システムへ転送されます（Ａ２）。
【００４９】
特に好適なやり方で形成された中央システムを以下に示します。この中央システムは、それがフランキングシステムに特にふさわしい処理ステップを行なうことができるのと同じ方法で形成されます。
それが、ドイツポストのＳＴＡＭＰＩＴ方法を使用する郵便料金証明印の生成には特に都合が良いので、このサーバーも以下にＳＴＡＭＰＩＴサーバーとして言及します。
【００５０】
中央システム（ＳＴＡＭＰＩＴサーバー）中の郵便料金証明印の処理と平行して、顧客には、有効な郵便料金印刷要求に応じて、標準的なＨＴＭＬページが提供されます（Ａ３）。このましくは、適切な入力インターフェース（標準ＨＴＭＬページが好ましい）は、技術的にいわゆるカスケーディング・スタイル・シート（ＣＳＳ）に基づきます。
「カスケーディング・スタイル・シートＣＳＳ」は、多くのより新しい標準的なブラウザ上で使用することができます。それらは、フォント、文字サイズ、ポジショニングなどの指定により情報内容を「フォーマット」できるようにしています。ＣＳＳ技術の使用によって、郵便料金証明印を一律に正確に印刷することが可能なので、それらは文字および小包生産の範囲内で機械的に読み取り可能です。ここにおける第１段階の送信（スクリーンビュー）のために、参照が有効でないプレ印刷の図形的表示として作られます。
【００５１】
標準ＣＳＳと異なり、ここで使用されているＣＳＳは、各フランキング手続きのために個々に作成され、ウェブサーバ上に格納されます。他のフォーマットに加えて、それは、さらにＨＴＭＬブラウザビューに表示されることになっている、無効のプレ印刷の公にアクセス可能なアドレスも含んでいます。同様に暗号化したセッション・キーの形をしているＣＳＳに統合される様に印刷するための第２段階において、その後必要な、有効な郵便料金証明印の登録へのアクセスの保護が本発明において重要です。
【００５２】
上流のウェブサーバは顧客システムにデータ・レコードを送信します（Ａ４）。
好ましくは、その送信は標準ＨＴＭＬフォーマットで行なわれます。該フォーマットは、好ましくはＣＳＳによって、フランキングのために特に個々に定義されます。
【００５３】
無効なプレ印刷の顧客への送信の前、後、又は途中に、有効なＰＣ郵便料金証明印を生成するリクエストがＳＴＡＭＰＩＴサーバーへ送られます。このリクエストは、顧客のシリアル番号、顧客の認証（ＰＩＮ）、希望の製品および支払い、フランキングの日付、および受取人のアドレスの部分を含む有効な郵便料金証明印の生成のために必要とされる情報をすべて含んでいます（Ａ５）。
【００５４】
有効な郵便料金証明印はＳＴＡＭＰＩＴサーバーの中で生成されます（Ａ６）。
【００５５】
郵便料金証明印の機械可読バーコードのデータ内容が返信されます（Ａ７）。
【００５６】
機械可読バーコードのデータ内容は印刷可能なグラフ式表現に変換され、テンポラリレジスタに一時的に格納されます（Ａ８）。
【００５７】
フランキングのために個々に使用されるＣＳＳへ統合される、先に生成された暗号セッション・キーは、前記レジスタが一回だけ、認証された顧客によってのみ呼ばれることを保証します。
【００５８】
一旦郵便料金証明印が印刷されれば、標準ウェブ技術において必要とされないウェブ・コミュニケーションの第２段階が開始されます。有効な郵便料金証明印にアクセスするために作用し、ＣＳＳに格納される情報によって、ウェブサーバへの第２の接続は、顧客に見えない方法で確立されます（Ａ９）。暗号のセッション・キーに基づいて、ウェブサーバは、有効な郵便料金証明印にアクセスする為の認可をチェックし、発行します。
【００５９】
標準的なウェブ技術とは異なり、有効な郵便料金証明印の図形的表示、セッション・キーおよびＣＳＳは、この後ウェブサーバから削除されます。このアクセスと削除は記録されます。
【００６０】
有効な郵便料金証明印は、プリンタに直接送信され、ブラウザに表示されずに印刷されます（Ａ１０）。
【００６１】
相違１：
上に述べた手続きにおいては、有効な郵便料金証明印は、可能なかぎり最も早い時点でＳＴＡＭＰＩＴサーバーにより要求されます（Ａ２）。代替として、印刷によるフィードバックが行われるまで待つことは可能です（上記Ａ９）。実際の実施では、初期の要求理由は、印刷手続きのスタート後に顧客の付加的な待ち時間を回避するためのものです。
【００６２】
相違２：
上述の手続きでは、すべての顧客のために使用される図形的表示は、郵便料金証明印の無効なプレ印刷として使用されます。代替として、ＳＴＡＭＰＩＴサーバーからの有効な郵便料金証明印が存在するまで、スクリーンビューの送信で待つことは可能です（上記Ａ４）。その後、有効な郵便料金証明印をスクリーンビューには無効にしてもよい。
【００６３】
上記の、中央のフランキングシステムを実行するために行われるべき変換はもっぱらウェブサーバに付属します。このウェブサーバは、ＳＴＡＭＰＩＴサーバー、レジスタ内のその一時的記憶装置、および個々のＣＳＳの生成と記憶装置によって供給された有効な郵便料金証明印のデータを印刷可能な図形的表示に変換するための機能によって拡張される必要があります。
【００６４】
本発明の特に好ましい実際的な実施は、第一に、スクリーンに表示される図形的表示と印刷において使用される図形的表示とは区別することができるような方法でＣＳＳの使用を提供します。この目的のために、個々に最初のコミュニケーション・ステップの間にＣＳＳを生成し、それらに暗号のセッション・キーを与え、認可されたユーザによるアクセスを許可するためにそれらを一時的に格納するために、サーバー側の拡張が必要です。
【００６５】
本発明は、生成された有効な郵便料金証明印の重複印刷を抑え、それによって、追加の郵便料金証明印の詐欺的生成を防ぐための多くの有利な実施例を開示しています。
【００６６】
さらに本発明の特に好ましい実施例は、顧客システムの範囲の標準技術を利用可能にし、その結果、従来のコンピューターは特にこの目的のために設定される必要なく、フランキング方法を利用可能にします。
【００６７】
しかし、また、顧客システムを改良することによりデータ・セキュリティを高めることも勿論できます。
【００６８】
さらに、郵便料金証明印に、より多くの偽造証明のためのデジタル情報を与えることが利点です。
【００６９】
この例は、ドイツ特許Ｎｏ．ＤＥ１００２０５６６、ＤＥ１００２０４０２およびＤＥ１００５６５９９に開示されています。
【００７０】
郵便料金証明印に暗号化されたデジタル・データを埋め込む目的に関するこれらの出版物に開示された方法ステップの全内容、および生成された郵便料金証明印の確実性を確認するための方法ステップがこれによって言及されています。
【図面の簡単な説明】
【００７１】
【図１】本発明のふさわしい実施例のフローチャートの概要を示す図である。
【符号の説明】
【００７２】
Ａ１  顧客システムＫＳによる郵便料金証明印の請求
Ａ２  中央システムＺＳへのフランキングリクエストの転送
Ａ３  入力インターフェースの準備
Ａ４  顧客システムＫＳへのデータ・レコードの送信
Ａ５  有効な郵便料金証明印を生成するための情報を備えた中央のサーバー
ＺＳへのフランキングリクエスト
Ａ６  有効な郵便料金証明印の生成
Ａ７  上流のサーバーＶＳへの機械可読の郵便料金証明印の送信
Ａ８  テンポラリレジスタＴＲの中の郵便料金証明印のデータ内容一時的記憶
Ａ９  顧客システムＫＳから上流ウェブサーバまでの別の接続の確立
Ａ１０  有効な郵便料金証明印の送信と印刷
ＫＳ  顧客システム
ＴＲ  テンポラリレジスタ
ＶＳ  上流のシステム
ＺＳ  中央システム
【図１】
2007519109.tif 000003
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
中央システム（ＺＳ）から顧客システム（ＫＳ）への郵便料金証明印の送信は、２つの段階で起こり、第１の段階において、ＣＳＳへ統合される暗号セッションキーと同様にＣＳＳによってフォーマットされた郵便料金証明印の無効なプレ印刷が送信され、有効な郵便料金証明印は中央システムにフィードバックすることにより、先にＣＳＳに統合された暗号セッションキーに基づいて確証された顧客システム（ＫＳ）に１回送信され、該フィードバックは、郵便料金証明印が顧客システム（ＫＳ）で表示されないが直ちに印刷されるように、印刷過程によってコントロールされていることを特徴とする、郵便物のフランキング方法。
【請求項２】
フランキング手続きのために必要とされるステップのうちの少なくともいくつかが中央制御される請求項１に記載の方法。
【請求項３】
顧客システム（ＫＳ）が中央システムの機能および／又はデータにアクセスする請求項１あるいは２の何れかまたは両方による方法。
【請求項４】
顧客システム（ＫＳ）の操作のために、プログラムは中央のシステム（ＺＳ）上で作動している少なくとも１つのプログラムが使用されることを特徴とする請求項３による方法。
【請求項５】
顧客システム（ＫＳ）を操作するために標準ウェブ・ブラウザが使用されることを特徴とする、請求項４による方法。
【請求項６】
フランキングリクエストが顧客システム（ＫＳ）から中央システム（ＺＳ）に標準化された送信プロトコルによって送信されることを特徴とする、請求項５による方法。
【請求項７】
中央システム（ＺＳ）が最初に有効な郵便料金証明印を生成し、該中央システム（ＺＳ）が有効な郵便料金証明印を無効なプレ印刷に変換する、前記請求項の１つ以上による方法。
【請求項８】
中央システム（ＺＳ）が有効な郵便料金証明印を生成し、該中央システム（ＺＳ）が有効な郵便料金証明印を無効なプレ印刷と交換する、請求項１乃至６の内１つ以上による方法。
【請求項９】
中央システム（ＺＳ）がテンポラリレジスタ（ＴＲ）に一時的に有効な郵便料金証明印を格納し、それへのアクセスをコントロールする、請求項７または８による方法。
【請求項１０】
顧客システム（ＫＳ）が無効なプレ印刷へのアクセスを与えられることを特徴とする請求項７から９の内１つ以上による方法。
【請求項１１】
顧客システム（ＫＳ）が有効な郵便料金証明印を含んでいるテンポラリレジスタ（ＴＲ）へのアクセスを許可する情報を供給されることを特徴とする、請求項１０による方法。
【請求項１２】
顧客システム（ＫＳ）が要求された郵便料金証明印の結果として無効なプレ印刷のものを表示する、請求項７から１１の内１つ以上による方法。
【請求項１３】
顧客システム（ＫＳ）で印刷処理が行なわれるとき、中央システム（ＺＳ）へのフィードバックは、有効な郵便料金証明印を含んでいるテンポラリレジスタ（ＴＲ）にアクセスされるのと同じ方法で確立される、請求項９から１２のうち１つ以上による方法。
【請求項１４】
取消不可能なデータリンクの結果を含むのと同じ方法で有効な郵便料金証明印が生成される、前記請求項のうち１つ以上による方法。
【請求項１５】
郵便料金証明印が中央システム（ＺＳ）のデータと共に顧客システム（ＫＳ）によって提供される取消不可能なデータリンクを含む、請求項１４による方法。
【請求項１６】
有効な郵便料金証明印がフランキングする日付に関する情報を含んでいる、前記請求項の１つ以上による方法。
【請求項１７】
有効な料金証明印が郵便物の意図した受取人に関する情報を含んでいることを特徴とする、前記クレームの１つ以上による方法。
【請求項１８】
郵便料金証明印が請求項１から１７のうち１つ以上による方法によって生成されることを特徴とする郵便物の確実性を確認する方法であって、顧客システム（ＫＳ）が中央システムにアクセスした後、有効な便料金証明印の文字表示は中央システム（ＺＳ）から削除され、前記アクセスと前記削除は記録され、更に、中央システム（ＺＳ）は、少なくとも１つの認証センターへ生成された有効な郵便料金証明印に関する情報を送信する郵便物のフランキング方法。
【請求項１９】
上流のシステム（ＶＳ）と同様に中央システム（ＺＳ）および顧客システム（ＫＳ）を有する構成する郵便物のフランキングのための装置であって、
最初のコミュニケーション・ステップで個々にＣＳＳを作成し、かつそれらに暗号セッションキーを供給する手段と同様に、上流のシステム（ＶＳ）が有効な郵便料金証明印を格納することができるテンポラリレジスタ（ＴＲ）を含み、
該上流のシステム（ＶＳ）と同様に中央システム（ＺＳ）および顧客システム（ＫＳ）を構成することを特徴とする郵便物のフランキングのための装置。
【請求項２０】
前記上流のシステム（ＶＳ）が、テンポラリレジスタ（ＴＲ）に格納された情報を直接前記顧客システム（ＫＳ）に接続されたプリンタに送信することができるように構成されるインターフェースを有する、請求項１９による装置。
【国際調査報告】
2007519109.tif 000004
2007519109.tif 000005
2007519109.tif 000006
2007519109.tif 000007
2007519109.tif 000008
2007519109.tif 000009